(57)【要約】【課題】相手先の指定を間違えた場合でも原稿を再度読み取らせる必要のないファクシミリ装置を提供する。【解決手段】ＡＤＦに原稿をセットし（ＳＴ１）、相手先番号等を入力すると（ＳＴ２）、相手先番号等を表示部に表示する（ＳＴ３）。スタートキーがオンされると（ＳＴ４）、原稿の読み取りを開始し（ＳＴ５）、原稿読み取り中にリセットキーがオンされたか判定する（ＳＴ６〜ＳＴ８）。原稿読み取り中にリセットキーがオンされると（ＳＴ６）、相手先番号の再入力ルーチンを起動し（ＳＴ７）、相手先番号を再入力する。そして、原稿の読み取りが終了すると（ＳＴ８）、再入力ルーチンが動作中であれば待機する（ＳＴ９）。再入力ルーチンが終われば、読み取った原稿画像のファクシミリ送信を行う（ＳＴ１０〜ＳＴ１５）。【選択図】      図３
2004312071.tif 000002
【特許請求の範囲】
【請求項１】
原稿を読み取り画像データを出力する画像読取手段と、読み取られた画像データを記憶する記憶手段と、相手先を入力する相手先入力手段と、電話回線に接続し、相手先に対応する選択信号を送出するダイヤル手段と、記憶された画像データを電話回線を通してファクシミリ送信するファクシミリ送信手段と、画像読取手段が原稿の読み取りを開始後に相手先を再入力する相手先再入力手段とを備えたことを特徴とするファクシミリ装置。
【請求項２】
相手先入力手段で入力された相手先情報、相手先再入力手段で入力された相手先情報を表示する表示手段を備えたことを特徴とする請求項１記載のファクシミリ装置。
【発明の詳細な説明】
【０００１】
【発明の属する技術分野】
この発明は、送信相手先の指定を間違えたときでも原稿を再度読み取らせる必要のないファクシミリ装置に関する。
【０００２】
【従来の技術】
ファクシミリで原稿を送信する場合、相手先を指定するのに、テンキーを用いて電話番号（ＦＡＸ番号）を直接入力したり、ワンタッチダイヤルや、短縮ダイヤルが用いられている。いずれにしても、相手先の指定を間違い、特にテンキーで電話番号を直接入力する場合には、番号自体を誤って入力したり、電話端末用の番号を入力してしまったりする恐れが多い。誤って電話端末用の番号に発呼した場合は、当然ファクシミリ送信ができず、通信エラーとなってしまう。その場合、電話番号の再確認を促すファクシミリ装置が提案されている（例えば、特許文献１参照）。
【０００３】
【特許文献１】
特開平８−４６７３７号公報
【０００４】
【発明が解決しようとする課題】
しかしながら、いずれにしても、通信エラーとなった場合は、読み取られた原稿の画像データは消去されているため、もう一度始めから原稿を読み取らせて再送信をする必要がある。特に、原稿のページ数が多いと、読み取りに時間が掛かり、例えばオフィスでは原稿を持って席に帰るまでに時間が掛かってしまう問題がある。
【０００５】
この発明は、そのような問題に着目してなされたものであって、相手先の指定を間違えた場合でも原稿を再度読み取らせる必要のないファクシミリ装置を提供することを目的としている。
【０００６】
【課題を解決するための手段】
前記目的を達成するために、この発明のファクシミリ装置は、原稿を読み取り画像データを出力する画像読取手段と、読み取られた画像データを記憶する記憶手段と、相手先を入力する相手先入力手段と、電話回線に接続し、相手先に対応する選択信号を送出するダイヤル手段と、記憶された画像データを電話回線を通してファクシミリ送信するファクシミリ送信手段と、画像読取手段が原稿の読み取りを開始後に相手先を再入力する相手先再入力手段とを備えたことを特徴とする。
【０００７】
このファクシミリ装置では、画像読取手段が原稿の読み取りを開始後に相手先再入力手段により相手先を再入力することができるので、相手先入力手段による相手先入力をミスしても、原稿読み取り終了後に原稿を再度読み取らせる必要がなく、従来要していた再度読み取りのための時間を節約できる。
【０００８】
なお、このファクシミリ装置において、相手先入力手段で入力された相手先情報、相手先再入力手段で入力された相手先情報を表示する表示手段を備えることで、双方の相手先情報を容易に比較して確認できる。
【０００９】
また、このファクシミリ装置では、相手先再入力手段により相手先を再入力できるのは、画像読取手段による原稿の読み取り開始後であるが、再入力が可能な期間は、原稿の読み取り開始から最初に入力（入力ミス）した相手先に着信する前までである。
【００１０】
【発明の実施の形態】
以下、実施の形態により、この発明を更に詳細に説明する。
【００１１】
その実施形態に係るファクシミリ装置の外観斜視図を図１に示す。このファクシミリ装置１は、ファクシミリ機能とコピー機能を併有する複合機として構成したものであり、装置本体２の上部一端側に原稿自動給紙装置（ＡＤＦ）３が配置されるとともに、原稿をセットするための原稿供給トレイ６が配置され、装置本体２の上部手前側に表示部５を有する操作部４が設けられている。但し、これら各部は、従来の装置と機能的に差異は無いので、詳細は省略する。
【００１２】
このファクシミリ装置１の構成例を示すブロック図を図２に示す。
【００１３】
図２において、ＭＰＵ（中央処理装置）１１は、当該装置全体を制御する機能を有する。
【００１４】
このＭＰＵ１１には、システムバス３１を介して、ダイヤル手段としてのＮＣＵ（Ｎｅｔｗｏｒｋ  Ｃｏｎｔｒｏｌ  Ｕｎｉｔ）１２、ファクシミリ送信手段としてのＭＯＤＥＭ１３が接続されている。ＮＣＵ１２は、ＭＰＵ１１により制御されて、回線Ｌと当該装置１との接続を制御するとともに、通信相手の電話番号に応じたダイヤルパルスを送出する機能及び着信を検出する機能を有する。なお、回線Ｌは一般公衆電話回線網（ＰＳＴＮ）に接続されている。ＭＯＤＥＭ１３は、送受信データの変復調、具体的には本来はデジタル信号である送信データをアナログの音声信号に変調してＮＣＵ１２を介して回線Ｌに送出し、また逆に回線ＬからＮＣＵ１２を介して受信したアナログの音声信号をデジタル信号に復調する。
【００１５】
また、ＭＰＵ１１には、システムバス３１を介して、スキャナ機構制御部１４、画像読取手段としての読み取り画像処理回路１６、読取用ＣＯＤＥＣ（符号化・復号器：Ｃｏｄｅｒ  ａｎｄ  Ｄｅｃｏｄｅｒ  ）１８、プリンタ２０、フラッシュメモリ２１、ＳＲＡＭ２２、記憶手段としての画像メモリ２３、通信用ＣＯＤＥＣ２４、表示部２５（前記表示部５）、相手先入力手段及び相手先再入力手段としての操作部２６（前記操作部４）が接続されている。
【００１６】
スキャナ機構制御部１４は、原稿をモータステップ数だけ送るステッピングモータ１５の駆動を制御する。読み取り画像処理回路１６は、ＣＣＤ１７からの原稿画像の信号を処理する。具体的には、ＣＣＤ１７の出力をアナログ増幅するとともに、デジタルデータを多値化出力する。読取用ＣＯＤＥＣ１８は、読み取り画像処理回路１６からの画像データを符号化し、画像メモリ２３に記憶させる。プリンタ２０は、受信画像データ、ＣＣＤ１７が読み取った画像データ、又は画像メモリ２３に記憶された画像データを用紙に印字する。
【００１７】
フラッシュメモリ２１は、この装置全体の動作を制御するためのプログラム等を予め記憶してある。ＳＲＡＭ２２は、ＭＰＵ１１による制御に必要なデータ及び制御動作時に一時記憶が必要なデータ等を記憶する。画像メモリ２３は、ＣＣＤ１７が読み取って読み取り画像処理回路１６で画像変換された画像データを圧縮状態で記憶し、また外部から回線ＬとＭＯＤＥＭ１３を介して受信した画像データも圧縮状態で記憶する。
【００１８】
通信用ＣＯＤＥＣ２４は、読み取った画像データを送信のためにＭＨ、ＭＲ、ＭＭＲ方式等により符号化（エンコード）し、受信画像データをプリンタ２０により記録するために復号（デコード）する。
【００１９】
表示部２５は、操作部２６の操作により入力又は再入力された電話番号やＦＡＸ番号、プリンタ２０のトナー残量等の種々の情報を表示する。この表示部２５としては、ＣＲＴディスプレイやＬＣＤ（液晶表示装置）が用いられる。操作部２６は、ＦＡＸやコピーの開始等を指示するスタートキー２６ａ、相手先の電話番号やＦＡＸ番号を入力ミスしたときにリセットするためのリセットキー２６ｂ、電話番号やＦＡＸ番号を入力するためのテンキー２６ｃの他、予め登録した電話番号をワンタッチで指定するためのワンタッチキー、電話番号を短縮登録する短縮キー等を有する。
【００２０】
次に、このファクシミリ装置１のファクシミリ送信時の動作について、図３のフロー図を参照して説明する。まず、ステップＳＴ１において、ユーザが装置１の原稿供給トレイ６に原稿をセットし、更にステップＳＴ２において、相手先番号を操作部４（操作部２６）のテンキー２６ｃで直接入力するか、ワンタッチキーで入力するとともに、解像度や濃度を所定のキーで設定する。
【００２１】
次いで、ステップＳＴ３において、ユーザが入力した相手先番号、設定した解像度及び濃度を表示部５に表示する。続いて、ステップＳＴ４において、操作部４のスタートキー２６ａがオンされたか判定し、オンされるまで待機する。オンされると、ステップＳＴ５において、原稿供給トレイ６にセットされた原稿の読み取りを開始する。
【００２２】
この原稿の読み取り中に、ステップＳＴ６において、操作部４のリセットキー２６ｂがオンされたか判定し、オンされたときは、前に入力した相手先番号の変更が指示されたことになるので、ステップＳＴ７において、相手先番号の再入力ルーチンを起動する。この再入力ルーチンは、図４のフロー図に示すとおりである。まず、ステップＳＴ２１において、ユーザが相手先番号を再びテンキー２６ｃで直接入力するか、ワンタッチキーで入力すると、ステップＳＴ２２において、入力された相手先番号を表示部５に表示する。表示後、ステップＳＴ２３において、スタートキー２６ａがオンされたか判定し、オンされるまで待機し、オンされるとリターンする。一方、ステップＳＴ６において、リセットキー２６ｂがオンされないときは、ステップＳＴ７をスキップする。
【００２３】
次のステップＳＴ８においては、原稿の読み取りが終了したか判定し、まだの場合は、ステップＳＴ６に戻り、原稿読み取り中はリセットキー２６ｂがオンされたか判定する。つまり、原稿読み取り中であれば、入力した相手先番号の変更が可能である。
【００２４】
原稿の読み取りが終了すると、ステップＳＴ９において、相手先番号の再入力ルーチンがまだ動作中であるか判定し、ＹＥＳなら待機する。これは、原稿読み取り中にリセットキー２６ｂのオンにより相手先番号の変更を指示したが、まだ相手先番号の再入力が済んでいないのに原稿の読み取りが終了した場合に対処するためである。
【００２５】
再入力ルーチンが原稿の読み取り終了時点で既に済んでいたか、待機により終了したら、ステップＳＴ１０において、回線を接続し、ステップＳＴ１１において、相手先番号にダイヤルする。そして、ステップＳＴ１２において、相手先の応答が有るか判定し、無いときは、リダイヤル処理を行う。応答が有るときは、ステップＳＴ１３において、読み取った原稿画像のファクシミリ送信をし、ステップＳＴ１４において、その送信が終了したか判定する。送信が終了すると、ステップＳＴ１５において、回線を開放し、当該処理を終わる。
【００２６】
なお、上記の実施の形態では、原稿の読み取り開始後、原稿の読み取り中に相手先番号を変更できるようにしているが、最初に入力した相手先に着信する前までは、相手先の再入力が可能であるように構成することもできる。
【００２７】
【発明の効果】
以上説明したように、請求項１記載の発明によれば、画像読取手段が原稿の読み取り開始後に相手先再入力手段により相手先を再入力することができるので、相手先入力手段による相手先入力をミスしても、原稿読み取り終了後に原稿を再度読み取らせる必要がなく、従来要していた再度読み取りのための時間を節約できる。例えばオフィスでは、原稿を直ぐに席等に持って帰ることができる。
【００２８】
また、請求項２記載の発明によれば、双方の相手先情報を容易に比較して確認できる。
【図面の簡単な説明】
【図１】実施形態に係るファクシミリ装置（ファクシミリ機能とコピー機能を併有する複合機）の外観斜視図である。
【図２】同ファクシミリ装置の構成例を示すブロック図である。
【図３】同ファクシミリ装置のファクシミリ送信時の動作を示すフロー図である。
【図４】図３のフロー図における相手先番号の再入力ルーチンを示すフロー図である。
【符号の説明】
１          ファクシミリ装置
２          装置本体
３          ＡＤＦ
４，２６    操作部（相手先入力手段・相手先再入力手段）
５，２５    表示部（表示手段）
６          原稿供給トレイ
１１        ＭＰＵ
１２        ＮＣＵ（ダイヤル手段）
１３        ＭＯＤＥＭ（ファクシミリ送信手段）
１６        読み取り画像処理回路（画像読取手段）
１７        ＣＣＤ（画像読取手段）
１９        イメージメモリ（記憶手段）
２３        画像メモリ（記憶手段）
【図１】
2004312071.tif 000003
【図２】
2004312071.tif 000004
【図３】
2004312071.tif 000005
【図４】
2004312071.tif 000006